(57)【要約】      （修正有）【課題】持ち運びが便利であると共に、シューズを収納すること以外の用途にも使用することができるシューズケースを提供する。【解決手段】折りたたみ時は所定の厚さ寸法を有する幅広ベルト状に形成されると共に、シューズ収納時には厚さ方向に拡開できるように厚さ方向に沿って折り畳まれたマチ部を備えている。【選択図】図１
0003160588.tif 000002
【実用新案登録請求の範囲】
【請求項１】
折りたたみ時は所定の厚さ寸法を有する幅広ベルト状に形成されると共に、シューズ収納時には厚さ方向に拡開できるように厚さ方向に沿って折り畳まれたマチ部を備えていることを特徴とするシューズケース。
【請求項２】
一対の長方形状の側面板部と、上記一対の側面板部の間に設けられた底マチ部と、上記一対の側面板部の間に設けられ、上記底マチ部に対向して設けられた開口側マチ部とを有し、上記一対の側面部と、底マチ部及び開口側マチ部とにより収納部を形成することを特徴とする請求項１記載のシューズケース。
【請求項３】
上記開口側マチ部には開口部が設けられると共に、上記開口部には開閉可能なファスナーが設けられていることを特徴とする請求項２記載のシューズケース。
【請求項４】
上記底マチ部及び開口マチ部は、一つの山部と、上記一つの山部の幅方向両側に配置され、上記側面板部へ連続する谷部とを有し、上記ファスナー部は、上記山部の上端部に設けられていることを特徴とする請求項３記載のシューズケース。
【請求項５】
上記底マチ部及び開口側マチ部は、長さ方向全域に亘って形成されていると共に、長さ方向の両端部には、ストラップを取り付ける係止部が設けられていることを特徴とする請求項４記載のシューズケース。
【考案の詳細な説明】
【技術分野】
【０００１】
本考案はシューズケースの改良に関する。
【背景技術】
【０００２】
従来より、シューズケースとしてはシューズを全体略箱状のケース本体にストラップが取り付けられ、上記全体箱状のケース本体内にシューズを収納して持ち歩くように構成されているものがほとんどである。
このような従来のシューズケースにあっては、シューズを収納しない場合には、所定の大きさの箱状のケース本体を持ち運ぶ必要があり、全体として嵩張ることから持ち運びが不便であると共に、シューズを収納する目的以外に使用することは不可能であった。
【０００３】
従って、持ち運びに便利であると共に、シューズ以外の物品も収納できる多用途に使用できるシューズケースが要望されていた。
【考案の開示】
【考案が解決しようとする課題】
【０００４】
本考案の課題は、持ち運びが便利であると共に、シューズを収納すること以外の用途にも使用することができるシューズケースを提供することにある。
【課題を解決するための手段】
【０００５】
上記課題を解決するため、請求項１記載の考案にあっては、折りたたみ時は所定の厚さ寸法を有する幅広ベルト状に形成されると共に、シューズ収納時には厚さ方向に拡開できるように厚さ方向に沿って折り畳まれたマチ部を備えていることを特徴とする。
【０００６】
従って、搬送時には折りたたみ、全体略幅広ベルト状に形成されていると共に、シューズ収納時には厚さ方向に拡開してシューズを収納することができる。
【０００７】
請求項２記載の考案にあっては、一対の長方形状の側面板部と、上記一対の側面板部の間に設けられた底マチ部と、上記一対の側面板部の間に設けられ、上記底マチ部に対向して設けられた開口側マチ部とを有し、上記一対の側面部と、底マチ部及び開口側マチ部とにより収納部を形成することを特徴とする。
【０００８】
従って、請求項２記載の考案にあっては、シューズ等の収納時には、底マチ部と開口側マチ部は、厚さ方向に沿って拡開して収納部を形成することができるように構成されている。
【０００９】
請求項３記載の考案にあっては、上記開口側マチ部にはファスナーが設けられていることを特徴とする。
従って、シューズ等の収納時には、上記ファスナーを開くことにより開口して、内部にシューズ等を収納することができ、収納後には上記ファスナーを閉じることにより閉塞された収納部を形成してシューズ等を持ち運ぶことができる。
【００１０】
請求項４記載の考案にあっては、上記底マチ部及び開口側マチ部は、一つの山部と、上記一つの山部の幅方向両側に配置され、上記側面板部へ連続する谷部とを有し、上記ファスナー部は、上記山部の上端部に設けられていることを特徴とする。
【００１１】
請求項５記載の考案にあっては、上記底マチ部及び開口マチ部は、長さ方向全域に亘って形成されている共に、長さ方向の両端部には、ストラップを取り付ける係止部が設けられていることを特徴とする。
【考案の効果】
【００１２】
請求項１〜５記載の考案にあっては、搬送時には折りたたんで全体略幅広ベルト状に形成されていると共に、シューズ収納時には厚さ方向に拡開してシューズ等を収納することができることから、シューズの非収納時には幅広ベルト状に形成されており持ち運びが容易であると共に、シューズの収納時には、厚さ方向に拡開して容易にシューズを収納することができる。さらに、シューズ以外の物品であっても収納することもできる。
【００１３】
特に、請求項２記載の考案にあっては、シューズ収納時には、底マチ部と開口マチ部は、厚さ方向に沿って拡開することができるように構成されていることから、拡開することにより容易かつ迅速に所定の幅寸法を有する収納部を形成し、シューズ等を収納することができる。
【００１４】
特に、請求項３記載の考案にあっては、シューズの収納時には、上記ファスナーを開くことにより開口して、内部にシューズ等を収納することができ、収納後には上記ファスナーを閉じることにより持ち運ぶことができることから、確実にシューズ等の収納物を収納することができる。
【００１５】
請求項５記載の考案にあっては、上記底マチ部及び開口側マチ部は、長さ方向全域に亘って形成されていることから、シューズ等の収納時又は取り出し時には、大きく開口することができ、収納及び取り出しを容易に行うことができる。また、長さ方向の両端部には、ストラップを取り付ける係止部が設けられていることから、ストラップを取り付け肩に担ぐようにして持ち運ぶこをができる。
【図面の簡単な説明】
【００１６】
【図１】本考案に係るシューズケースの一実施の形態を示す斜視図である。
【図２】本考案に係るシューズケースの一実施の形態を示し、ファスナーを開放した状態を示す図である。
【図３】
【考案を実施するための最良の形態】
【００１７】
以下、添付図面に示す実施の形態に基づき、本考案を詳細に説明する。
図１及び図２に示すように、本実施の形態に係るシューズケース１０は、全体皮革製であって、折りたたみ時は所定の厚さ寸法を有する幅広ベルト状に形成されると共に、シューズ収納時には厚さ方向に拡開できるように厚さ方向に沿って折り畳まれたマチ部を備えている。
【００１８】
即ち、本実施の形態に係るシューズケース１０は、一対の長方形状の側面板部１１、１１と、上記一対の側面板部１１、１１の間に設けられた底マチ部１２と、上記一対の側面板部の間に設けられ、上記底マチ部１２に対向して設けられた開口側マチ部１３とを有し、上記一対の側面板部１１、１１と、上記底マチ部１２及び開口側マチ部１３とにより収納部を形成するように構成されている。
【００１９】
上記開口側マチ部１３には開口部１４が設けられると共に、上記開口部１４には開閉可能なファスナー１５が設けられている。
上記底マチ部１２及び開口側マチ部１３は、一つの山部１６と、上記一つの山部１６の幅方向両側に配置され、上記側面板部１１、１１へ連続する一対の谷部１７、１７とを有しており、上記ファスナー１５は、開口部１４側の上記山部１６の上端部に設けられている。
【００２０】
上記底マチ部１２及び開口側マチ部１３は、長さ方向全域に亘って形成されていると共に、長さ方向の両端部には、ストラップ（図示せず）を取り付ける係止部１８、１８が設けられている。
本実施の形態に係るシューズケース１０は、シューズケースとして使用しない場合には、例えば、上記ストラップを係止している場合には、ストラップにより肩に掛けて、一般のファッショナブルなバッグとして使用することができる。
【００２１】
また。シューズ１９を収納するばあいには、上記ファスナー１５を開放して開口部を開け、開口部を幅方向に大きく開くことにより、上記底マチ部及び開口側マチ部の山部及び谷部を拡げることにより、内部を拡開することにより内部にシューズ１９を収納しうるシューズ収納部を形成することができる。
従って、上記シューズ収納部内に各種のシューズ１９を収納し、ファスナー１５を閉じることにより開口部を閉塞してシューズケースとして使用することができる。
なお、本実施の形態にあっては、側面板部１１、底マチ部１２及び開口側マチ部１３の素材が皮革製である場合を例に説明したが、上記実施の形態に限定されず、布、合成樹脂等の素材であってもよい。
【産業上の利用可能性】
【００２２】
本考案は、広くシューズケースに適用することができる。
【符号の説明】
【００２３】
１０  シューズケース
１１  側面板部
１２  底マチ部
１３  開口側マチ部
１４  開口部
１５  ファスナー
１６  山部
１７  谷部
１８  係止部
１９  シューズ
【図１】
0003160588.tif 000003
【図２】
0003160588.tif 000004
【図３】
0003160588.tif 000005
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
折りたたみ時は所定の厚さ寸法を有する幅広ベルト状に形成されると共に、シューズ収納時には厚さ方向に拡開できるように厚さ方向に沿って折り畳まれたマチ部を備えていることを特徴とするシューズケース。
【請求項２】
一対の長方形状の側面板部と、上記一対の側面板部の間に設けられた底マチ部と、上記一対の側面板部の間に設けられ、上記底マチ部に対向して設けられた開口側マチ部とを有し、上記一対の側面板部と、底マチ部及び開口側マチ部とにより収納部を形成することを特徴とする請求項１記載のシューズケース。
【請求項３】
上記開口側マチ部には開口部が設けられると共に、上記開口部には開閉可能なファスナーが設けられていることを特徴とする請求項２記載のシューズケース。
【請求項４】
上記底マチ部及び開口側マチ部は、一つの山部と、上記一つの山部の幅方向両側に配置され、上記側面板部へ連続する谷部とを有し、上記ファスナーは、上記山部の上端部に設けられていることを特徴とする請求項３記載のシューズケース。
【請求項５】
上記底マチ部及び開口側マチ部は、長さ方向全域に亘って形成されていると共に、長さ方向の両端部には、ストラップを取り付ける係止部が設けられていることを特徴とする請求項４記載のシューズケース。
【手続補正２】
【補正対象書類名】明細書
【補正対象項目名】全文
【補正方法】変更
【補正の内容】
【考案の詳細な説明】
【技術分野】
【０００１】
本考案はシューズケースの改良に関する。
【背景技術】
【０００２】
従来より、シューズケースとしてはシューズを全体略箱状のケース本体にストラップが取り付けられ、上記全体箱状のケース本体内にシューズを収納して持ち歩くように構成されているものがほとんどである。
このような従来のシューズケースにあっては、シューズを収納しない場合には、所定の大きさの箱状のケース本体を持ち運ぶ必要があり、全体として嵩張ることから持ち運びが不便であると共に、シューズを収納する目的以外に使用することは不可能であった。
【０００３】
従って、持ち運びに便利であると共に、シューズ以外の物品も収納できる多用途に使用できるシューズケースが要望されていた。
【考案の開示】
【考案が解決しようとする課題】
【０００４】
本考案の課題は、持ち運びが便利であると共に、シューズを収納すること以外の用途にも使用することができるシューズケースを提供することにある。
【課題を解決するための手段】
【０００５】
上記課題を解決するため、請求項１記載の考案にあっては、折りたたみ時は所定の厚さ寸法を有する幅広ベルト状に形成されると共に、シューズ収納時には厚さ方向に拡開できるように厚さ方向に沿って折り畳まれたマチ部を備えていることを特徴とする。
【０００６】
従って、搬送時には折りたたみ、全体略幅広ベルト状に形成されていると共に、シューズ収納時には厚さ方向に拡開してシューズを収納することができる。
【０００７】
請求項２記載の考案にあっては、一対の長方形状の側面板部と、上記一対の側面板部の間に設けられた底マチ部と、上記一対の側面板部の間に設けられ、上記底マチ部に対向して設けられた開口側マチ部とを有し、上記一対の側面板部と、底マチ部及び開口側マチ部とにより収納部を形成することを特徴とする。
【０００８】
従って、請求項２記載の考案にあっては、シューズ等の収納時には、底マチ部と開口側マチ部は、厚さ方向に沿って拡開して収納部を形成することができるように構成されている。
【０００９】
請求項３記載の考案にあっては、上記開口側マチ部にはファスナーが設けられていることを特徴とする。
従って、シューズ等の収納時には、上記ファスナーを開くことにより開口して、内部にシューズ等を収納することができ、収納後には上記ファスナーを閉じることにより閉塞された収納部を形成してシューズ等を持ち運ぶことができる。
【００１０】
請求項４記載の考案にあっては、上記底マチ部及び開口側マチ部は、一つの山部と、上記一つの山部の幅方向両側に配置され、上記側面板部へ連続する谷部とを有し、上記ファスナーは、上記山部の上端部に設けられていることを特徴とする。
【００１１】
請求項５記載の考案にあっては、上記底マチ部及び開口側マチ部は、長さ方向全域に亘って形成されている共に、長さ方向の両端部には、ストラップを取り付ける係止部が設けられていることを特徴とする。
【考案の効果】
【００１２】
請求項１〜５記載の考案にあっては、搬送時には折りたたんで全体略幅広ベルト状に形成されていると共に、シューズ収納時には厚さ方向に拡開してシューズ等を収納することができることから、シューズの非収納時には幅広ベルト状に形成されており持ち運びが容易であると共に、シューズの収納時には、厚さ方向に拡開して容易にシューズを収納することができる。さらに、シューズ以外の物品であっても収納することもできる。
【００１３】
特に、請求項２記載の考案にあっては、シューズ収納時には、底マチ部と開口側マチ部は、厚さ方向に沿って拡開することができるように構成されていることから、拡開することにより容易かつ迅速に所定の幅寸法を有する収納部を形成し、シューズ等を収納することができる。
【００１４】
特に、請求項３記載の考案にあっては、シューズの収納時には、上記ファスナーを開くことにより開口して、内部にシューズ等を収納することができ、収納後には上記ファスナーを閉じることにより持ち運ぶことができることから、確実にシューズ等の収納物を収納することができる。
【００１５】
請求項５記載の考案にあっては、上記底マチ部及び開口側マチ部は、長さ方向全域に亘って形成されていることから、シューズ等の収納時又は取り出し時には、大きく開口することができ、収納及び取り出しを容易に行うことができる。また、長さ方向の両端部には、ストラップを取り付ける係止部が設けられていることから、ストラップを取り付け肩に担ぐようにして持ち運ぶこをができる。
【図面の簡単な説明】
【００１６】
【図１】本考案に係るシューズケースの一実施の形態を示す斜視図である。
【図２】本考案に係るシューズケースの一実施の形態を示し、ファスナーを開放した状態を示す図である。
【図３】本考案に係るシューズケースの一実施の形態を示し、シューズを収納し、ファスナーを閉止した状態を示す図である。
【考案を実施するための最良の形態】
【００１７】
以下、添付図面に示す実施の形態に基づき、本考案を詳細に説明する。
図１及び図２に示すように、本実施の形態に係るシューズケース１０は、全体皮革製であって、折りたたみ時は所定の厚さ寸法を有する幅広ベルト状に形成されると共に、シューズ収納時には厚さ方向に拡開できるように厚さ方向に沿って折り畳まれたマチ部を備えている。
【００１８】
即ち、本実施の形態に係るシューズケース１０は、一対の長方形状の側面板部１１、１１と、上記一対の側面板部１１、１１の間に設けられた底マチ部１２と、上記一対の側面板部の間に設けられ、上記底マチ部１２に対向して設けられた開口側マチ部１３とを有し、上記一対の側面板部１１、１１と、上記底マチ部１２及び開口側マチ部１３とにより収納部を形成するように構成されている。
【００１９】
上記開口側マチ部１３には開口部１４が設けられると共に、上記開口部１４には開閉可能なファスナー１５が設けられている。
上記底マチ部１２及び開口側マチ部１３は、一つの山部１６と、上記一つの山部１６の幅方向両側に配置され、上記側面板部１１、１１へ連続する一対の谷部１７、１７とを有しており、上記ファスナー１５は、開口部１４側の上記山部１６の上端部に設けられている。
【００２０】
上記底マチ部１２及び開口側マチ部１３は、長さ方向全域に亘って形成されていると共に、長さ方向の両端部には、ストラップ（図示せず）を取り付ける係止部１８、１８が設けられている。
本実施の形態に係るシューズケース１０は、シューズケースとして使用しない場合には、例えば、上記ストラップを係止している場合には、ストラップにより肩に掛けて、一般のファッショナブルなバッグとして使用することができる。
【００２１】
また。シューズ１９を収納するばあいには、上記ファスナー１５を開放して開口部を開け、開口部を幅方向に大きく開くことにより、上記底マチ部及び開口側マチ部の山部及び谷部を拡げることにより、内部を拡開することにより内部にシューズ１９を収納しうるシューズ収納部を形成することができる。
従って、上記シューズ収納部内に各種のシューズ１９を収納し、ファスナー１５を閉じることにより開口部を閉塞してシューズケースとして使用することができる。
なお、本実施の形態にあっては、側面板部１１、底マチ部１２及び開口側マチ部１３の素材が皮革製である場合を例に説明したが、上記実施の形態に限定されず、布、合成樹脂等の素材であってもよい。
【産業上の利用可能性】
【００２２】
本考案は、広くシューズケースに適用することができる。
【符号の説明】
【００２３】
１０  シューズケース
１１  側面板部
１２  底マチ部
１３  開口側マチ部
１４  開口部
１５  ファスナー
１６  山部
１７  谷部
１８  係止部
１９  シューズ